(57)【要約】【課題】  真空式温水機の熱媒液の加熱にヒートポンプ給湯機の高温水等を使用し、燃焼式バーナを補助的に使用することによって、缶体効率の向上、年間エネルギー消費量とランニングコストの低減及びＣＯ２の削減等を図る。【解決手段】  内部が大気圧以下に保持された缶体１と、缶体１の下部に形成され、熱媒液２を貯留する熱媒液槽３と、缶体１内の上部に形成された減圧蒸気室４と、減圧蒸気室４に配置された温水熱交換器５と、熱媒液槽３内の熱媒液２を加熱蒸発させる加熱手段とを備えた真空式温水機において、前記加熱手段は、熱交換器８とヒートポンプ給湯機９により得られた高温水１０から成り、熱交換器８内にヒートポンプ給湯機９の高温水１０を流し、熱交換器８を介して高温水１０と熱媒体槽内の熱媒液の熱交換を行い、熱媒液槽３内の熱媒液２を加熱蒸発させる構成とする。【選択図】      図３
2015206484.tif 000002
【特許請求の範囲】
【請求項１】
内部が大気圧以下に保持された密閉状の缶体と、缶体の下部に形成され、熱媒液を貯留する熱媒液槽と、缶体内の上部に形成された減圧蒸気室と、減圧蒸気室に配置され、発生した蒸気を水との熱交換により凝縮して液化させる温水熱交換器と、熱媒液槽内の熱媒液を加熱蒸発させる加熱手段とを備えた真空式温水機において、前記加熱手段は、熱交換器とヒートポンプ給湯機により得られた高温水から成り、熱交換器内にヒートポンプ給湯機の高温水を流し、熱交換器を介して高温水と熱媒液槽内の熱媒液の熱交換を行い、熱媒液槽内の熱媒液を加熱蒸発させる構成としたことを特徴とする真空式温水機。
【請求項２】
加熱手段は、熱交換器とコージェネレーションシステムのエンジン冷却水、熱交換器と太陽熱温水器により得られた高温水、熱交換器と温泉水、熱交換器とその他の高温水から成ることを特徴とする請求項１に記載の真空式温水機。
【請求項３】
加熱手段は、熱媒液の温度低下時に熱媒液槽内の熱媒液を加熱する補助用の燃焼式バーナを備えていることを特徴とする請求項１又は請求項２に記載の真空式温水機。
【請求項４】
缶体内に仕切板を配設して熱媒液槽を二つの槽に区画し、一方の槽を、熱交換器とヒートポンプ給湯機の高温水、熱交換器とコージェネレーションシステムのエンジン冷却水、熱交換器と太陽熱温水器の高温水、熱交換器と温泉水、熱交換器とその他の高温水により加熱される高温水用加熱槽とし、また、他方の槽を、燃焼式バーナにより加熱されるバーナ用加熱槽としたことを特徴とする請求項３に記載の真空式温水機。
【請求項５】
温水熱交換器の低温側の下方位置に、温水熱交換器で凝縮した凝縮液を高温水用加熱槽に導いて凝縮液を高温水用加熱槽内に蓄えるための斜板を設けたことを特徴とする請求項４に記載の真空式温水機。
【請求項６】
斜板に高温水用加熱槽内に位置する下向きの側板を設け、当該側板と缶体との間に凝縮液が流下する下降通路を形成し、下降通路の下端部開口と高温水用加熱槽内とを連通させたことを特徴とする請求項５に記載の真空式温水機。
【請求項７】
仕切板の高さをバーナ用加熱槽内の熱媒液の液面よりも高く設定し、高温水用加熱槽内に蓄えられた熱媒液が貯液容量を超えると、熱媒液が仕切板の上端からバーナ加熱槽側へオーバーフローする構成としたことを特徴とする請求項４に記載の真空式温水機。
【請求項８】
バーナ用加熱槽内の熱媒液の温度を温度検出器により検出し、高温水用加熱槽側からのオーバーフローした熱媒液によりバーナ用加熱槽内の熱媒液の温度が設定温度以下になったときに、制御装置により燃焼式バーナを駆動して熱媒液の加熱を行う構成としたことを特徴とする請求項７に記載の真空式温水機。
【請求項９】
高温水用加熱槽内に熱交換器を配設し、高温水用加熱槽内の熱媒液を熱交換器により直接加熱する構成としたことを特徴とする請求項４、請求項５、請求項６、請求項７又は請求項８に記載の真空式温水機。
【請求項１０】
缶体の外部に熱交換器を配設すると共に、熱交換器と高温水用加熱槽との間に高温水用加熱槽内の熱媒液が循環する熱媒液循環路を設け、熱交換器により加熱された熱媒液循環路内の熱媒液を高温水用加熱槽内に戻し、高温水用加熱槽内の熱媒液を間接加熱する構成としたことを特徴とする請求項４、請求項５、請求項６、請求項７又は請求項８に記載の真空式温水機。
【発明の詳細な説明】
【技術分野】
【０００１】
本発明は、温水発生装置として用いられる真空式温水機の改良に係り、特に、真空式温水機の熱媒液の加熱にヒートポンプ給湯機の高温水やコージェネレーションシステムのエンジン冷却水、太陽熱温水機の高温水、温泉水、その他の高温水を使用し、前記高温水を主熱源とすると共に、燃焼式バーナ１１を補助的に使用することによって、缶体効率の向上、年間エネルギー消費量とランニングコストの低減及びＣＯ２の削減等を図れるようにした真空式温水機に関するものである。
【背景技術】
【０００２】
従来、温水発生装置として用いられる真空式温水機としては、例えば、図７に示す構造のものが知られている（特許文献１参照）。
【０００３】
即ち、前記真空式温水機は、図７に示す如く、缶体３０、バーナ３１、燃焼室３２、減圧蒸気室３３、熱媒水３４、温水熱交換器３５、水管３６、抽気ポンプ（図示省略）等を備えており、缶体３０内を抽気ポンプにより大気圧以下に減圧して真空に近い状態とし、この状態でバーナ３１により熱媒水３４を加熱沸騰させて減圧蒸気室３３内にそのときの熱媒水３４の温度と同じ蒸気を発生させ、その蒸気が温水熱交換器３５の表面で凝縮することで温水熱交換器３５内の給水を加熱し、温水を作るようにしたものである。
この真空式温水機は、缶体３０内が減圧されているため、要求される温度の温水を素早く負荷側へ供給できるメリットがある。
【０００４】
しかし、従来の真空式温水機においては、下記の（１）〜（５）に示すような問題点がある。
（１）燃焼式のバーナにより熱媒水を加熱しているため、熱効率が８０％〜９５％程度ま    でとなる。
（２）熱効率を向上させるために缶体構造や水管の配列を変更した場合には、構造が複雑    となる。
（３）燃焼排ガスの排出規制があるので、規制値を満足するためにバーナが複雑且つ高価    なものとなる。
（４）缶体容量や使用燃料によりバーナの選定が必要になり、多種類のバーナを用意して    おく必要がある。
（５）燃焼排ガス中に含まれる水蒸気の潜熱を回収する熱回収装置を付設した高効率の真    空式温水機（特許文献２参照）の場合、低温の燃焼排ガスにより白煙が生じると共      に、燃焼排ガス中の水蒸気が凝縮することにより発生する凝縮液が低ｐＨとなるた      め、凝縮液を中和処理するための処理装置と腐食対策が必要になり、イニシャルコス    トも増加する。
【先行技術文献】
【特許文献】
【０００５】
【特許文献１】特開平１１−３３７００２号公報
【特許文献２】特開２０１２−１０２９０６号公報
【発明の概要】
【発明が解決しようとする課題】
【０００６】
本発明は、このような問題点に鑑みて為されたものであり、その目的は、真空式温水機の熱媒液の加熱にヒートポンプ給湯機の高温水やコージェネレーションシステムのエンジン冷却水、太陽熱温水機の高温水、温泉水、その他の高温水を使用し、前記高温水を主熱源とすると共に、燃焼式バーナを補助的に使用することによって、缶体効率の向上、年間エネルギー消費量とランニングコストの低減及びＣＯ２の削減等を図れるようにした真空式温水機を提供することにある。
【課題を解決するための手段】
【０００７】
上記目的を達成するために、本発明の請求項１の発明は、内部が大気圧以下に保持された密閉状の缶体と、缶体の下部に形成され、熱媒液を貯留する熱媒液槽と、缶体内の上部に形成された減圧蒸気室と、減圧蒸気室に配置され、発生した蒸気を水との熱交換により凝縮して液化させる温水熱交換器と、熱媒液槽内の熱媒液を加熱蒸発させる加熱手段とを備えた真空式温水機において、前記加熱手段は、熱交換器とヒートポンプ給湯機により得られた高温水から成り、熱交換器内にヒートポンプ給湯機の高温水を流し、熱交換器を介して高温水と熱媒液槽内の熱媒液の熱交換を行い、熱媒液槽内の熱媒液を加熱蒸発させる構成としたことに特徴がある。
【０００８】
本発明の請求項２の発明は、加熱手段が、熱交換器とコージェネレーションシステムのエンジン冷却水、熱交換器と太陽熱温水器により得られた高温水、熱交換器と温泉水、熱交換器とその他の高温水から成ることに特徴がある。
【０００９】
本発明の請求項３の発明は、加熱手段が、熱媒液の温度低下時に熱媒液槽内の熱媒液を加熱する補助用の燃焼式バーナを備えていることに特徴がある。
【００１０】
本発明の請求項４の発明は、缶体内に仕切板を配設して熱媒液槽を二つの槽に区画し、一方の槽を、熱交換器とヒートポンプ給湯機の高温水、熱交換器とコージェネレーションシステムのエンジン冷却水、熱交換器と太陽熱温水器の高温水、熱交換器と温泉水、熱交換器とその他の高温水により加熱される高温水用加熱槽とし、また、他方の槽を、燃焼式バーナにより加熱されるバーナ用加熱槽としたことに特徴がある。
【００１１】
本発明の請求項５の発明は、温水熱交換器の低温側の下方位置に、温水熱交換器で凝縮した凝縮液を高温水用加熱槽に導いて凝縮液を高温水用加熱槽内に蓄えるための斜板を設けたことに特徴がある。
【００１２】
本発明の請求項６の発明は、斜板に高温水用加熱槽内に位置する下向きの側板を設け、当該側板と缶体との間に凝縮液が流下する下降通路を形成し、下降通路の下端部開口と高温水用加熱槽内とを連通させたことに特徴がある。
【００１３】
本発明の請求項７の発明は、仕切板の高さをバーナ用加熱槽内の熱媒液の液面よりも高く設定し、高温水用加熱槽内に蓄えられた熱媒液が貯液容量を超えると、熱媒液が仕切板の上端からバーナ加熱槽側へオーバーフローする構成としたことに特徴がある。
【００１４】
本発明の請求項８の発明は、バーナ用加熱槽内の熱媒液の温度を温度検出器により検出し、高温水用加熱槽側からのオーバーフローした熱媒液によりバーナ用加熱槽内の熱媒液の温度が設定温度以下になったときに、制御装置により燃焼式バーナを駆動して熱媒液の加熱を行う構成としたことに特徴がある。
【００１５】
本発明の請求項９の発明は、高温水用加熱槽内に熱交換器を配設し、高温水用加熱槽内の熱媒液を熱交換器により直接加熱する構成としたことに特徴がある。
【００１６】
本発明の請求項１０の発明は、缶体の外部に熱交換器を配設すると共に、熱交換器と高温水用加熱槽との間に高温水用加熱槽内の熱媒液が循環する熱媒液循環路を設け、熱交換器により加熱された熱媒液循環路内の熱媒液を高温水用加熱槽内に戻し、高温水用加熱槽内の熱媒液を間接加熱する構成としたことに特徴がある。
【発明の効果】
【００１７】
本発明の真空式温水機は、缶体内の熱媒液を主にヒートポンプ給湯機の高温水、コージェネレーションシステムのエンジン冷却水、太陽熱温水器の高温水、温泉水、その他の高温水等により加熱し、熱媒液の温度低下時に燃焼式バーナを補助的に使用しているため、従来の燃焼式バーナを使用した真空式温水機に比較して缶体効率の向上、年間エネルギー消費量とランニングコストの低減及びＣＯ２の削減を図ることができる。
【００１８】
また、本発明の真空式温水機は、ヒートポンプ給湯機の高温水、コージェネレーションシステムのエンジン冷却水、太陽熱温水器の高温水、温泉水、その他の高温水等を主熱源とし、燃焼式バーナを補助的に使用しているため、従来の燃焼式バーナを主熱源とした真空式温水機のように、缶体容量、燃焼室や缶体の形状により燃焼性能が変わって多種類の燃焼式バーナが必要になると云うこともなく、燃焼式バーナの種類を減少させて燃焼式バーナを限定することができる。
【００１９】
更に、本発明の真空式温水機は、ヒートポンプ給湯機の高温水、コージェネレーションシステムのエンジン冷却水、太陽熱温水器の高温水、温泉水、その他の高温水等を主熱源としているため、従来の燃焼排ガス中の水蒸気の潜熱を回収する熱回収装置を付設した真空式温水機のように、白煙が生じたり、低ｐＨの凝縮液を中和処理する処理装置を必要としたり、また、煙道が腐食したりすると云うこともなく、燃焼排ガスによる問題もクリアーすることができる。
【図面の簡単な説明】
【００２０】
【図１】本発明の実施形態に係る真空式温水機を示し、真空式温水機の一部省略縦断正面図である。
【図２】同じく真空式温水機の一部省略縦断側面図である。
【図３】熱媒液加熱用の主熱源をヒートポンプ給湯機の高温水とし、熱媒液を直接加熱するようにした真空式温水機の概略構成図である。
【図４】本発明の他の実施形態に係る真空式温水機を示し、熱媒液加熱用の主熱源をヒートポンプ給湯機の高温水とし、熱媒液を間接加熱するようにした真空式温水機の概略構成図である。
【図５】本発明の更に他の実施形態に係る真空式温水機を示し、熱媒液加熱用の主熱源を太陽熱温水器の高温水とした真空式温水機の概略構成図である。
【図６】本発明の更に他の実施形態に係る真空式温水機を示し、熱媒液加熱用の主熱源を温泉水とし、熱媒液を間接加熱するようにした真空式温水機の概略構成図である。
【図７】従来の真空式温水機の縦断面図である。
【発明を実施するための形態】
【００２１】
以下、本発明の実施形態を図面に基づいて詳細に説明する。
図１〜図３は本発明の実施形態に係る真空式温水機を示し、当該真空式温水機は、内部が大気圧以下に保持された密閉状の缶体１と、缶体１の下部に形成され、熱媒液２を貯留する熱媒液槽３と、缶体１内の上部に形成された減圧蒸気室４と、減圧蒸気室４に配置され、発生した蒸気を水との熱交換により凝縮して液化させる温水熱交換器５と、缶体１内に配設され、熱媒液槽３を二つの槽に区画する仕切板６と、温水熱交換器５の低温側の下方位置に配置され、温水熱交換器５からの凝縮液２ａを熱媒液槽３の一方の槽に導く斜板７と、熱媒液槽３内の熱媒液２を加熱蒸発させる加熱手段等を備えており、前記加熱手段は、熱交換器８と、ヒートポンプ給湯機９により得られた高温水１０と、補助用の燃焼式バーナ１１とから成り、主に熱交換器８とヒートポンプ給湯機９の高温水１０を用いて熱媒液槽３内の熱媒液２を加熱蒸発させ、燃焼式バーナ１１を補助的に使用するようにしたものである。
【００２２】
前記缶体１は、鋼板材等により密閉された横長の四角箱状に形成されており、缶体１の下部には、缶体１内に封入した熱媒液２（例えば、水）を貯留する熱媒液槽３が形成されている。
【００２３】
また、缶体１内の上部には、缶体１内を抽気ポンプ（図示省略）により減圧することにより減圧蒸気室４が形成されている。
【００２４】
前記温水熱交換器５は、減圧蒸気室４に缶体１の長手方向に沿う水平姿勢で配置された低温側熱交換器５Ａと、減圧蒸気室４に缶体１の長手方向に沿う水平姿勢で配置され、低温側熱交換器５Ａに直列に接続された高温側熱交換器５Ｂとから成り、低温側熱交換器５Ａに水の入口５ａが形成され、また、高温側熱交換器５Ｂに温水の出口５ｂが形成されている。
【００２５】
前記仕切板６は、缶体１内に缶体１の長手方向に沿う姿勢で配設されており、熱媒液槽３を缶体１の長手方向に沿う二つの槽に区画している。
【００２６】
二つの槽のうち、一方の槽は、温水熱交換器５の低温側熱交換器５Ａの下方に位置して熱交換器８とヒートポンプ給湯機９により得られた高温水１０とにより加熱される高温水用加熱槽３Ａになっていると共に、他方の槽は、温水熱交換器５の高温側熱交換器５Ｂの下方に位置して燃焼式バーナ１１により加熱されるバーナ用加熱槽３Ｂとなっている。
【００２７】
また、仕切板６の高さは、バーナ用加熱槽３Ｂ内の熱媒液２の液面よりも若干高くなるように設定されており、高温水用加熱槽３Ａ内の熱媒液２が貯液容量を超えると、熱媒液２が仕切板６の上端からバーナ用加熱槽３Ｂ側へオーバーフローするようになっている。
【００２８】
尚、バーナ用加熱槽３Ｂ内には、図示していないが、熱媒液２内に水没された燃焼室と、内部に熱媒液２が流通し、燃焼排ガスの熱を吸収する水管群とがそれぞれ設けられている。
【００２９】
前記斜板７は、温水熱交換器５の低温側熱交換器５Ａの下方位置に缶体１の中央位置から缶体１の側壁へ向って下り傾斜となる傾斜姿勢で配置されており、低温側熱交換器５Ａから流下した凝縮液２ａを集めて高温水用加熱槽３Ａ側に流し、凝縮液２ａを高温水用加熱槽３Ａに強制的に蓄えるものである。
【００３０】
また、斜板７の低所側端部には、側板１２が缶体１の側壁と平行になるように下向きに連設されている。この側板１２と缶体１のとの間には、斜板７より集められた凝縮液２ａが流下する下降通路１３が形成されており、当該下降通路１３の下端部開口は、高温水用加熱槽３Ａ内と連通状態になっている。
【００３１】
前記熱交換器８は、高温水用加熱槽３Ａ内に熱媒液２に浸漬する状態で配設されており、内部にヒートポンプ給湯機９により得られた高温水１０が流通し、熱媒液２を直接加熱するようになっている。
【００３２】
この熱交換器８は、缶体１の側壁を気密状に貫通する入口ヘッダー８Ａと、入口ヘッダー８Ａの上方に位置して缶体１の側壁を気密状に貫通する出口ヘッダー８Ｂと、入口ヘッダー８Ａと出口ヘッダー８Ｂとの間に介設した複数の伝熱管８Ｃとから成る。
【００３３】
前記ヒートポンプ給湯機９は、冷凍サイクル回路を搭載したヒートポンプユニットで高温水１０を生成し、生成された高温水１０を貯湯タンクに貯め、必要に応じて貯湯タンクから高温水１０を供給するものであり、熱交換器８の入口ヘッダー８Ａ及び出口ヘッダー８Ｂに入口側配管１４及び出口側配管１５を介してそれぞれ接続され、入口側配管１４に設けた高温水循環ポンプ１６によりヒートポンプ給湯機９の高温水１０を熱交換器８へ供給できるようになっている。
【００３４】
また、高温水循環ポンプ１６の下流側位置の入口側配管１４と出口側配管１５との間には、熱交換器８をバイパスさせるバイパス配管１７を設けられていると共に、このバイパス配管１７と入口側配管１４との間には、高温水１０を熱交換器８側又はバイパス配管１７側へ切り換えて流すことができる電動式の三方弁１８が設けられている。
【００３５】
前記三方弁１８は、高温水用加熱槽３Ａ内の熱媒液２の温度を温度検出器１９により検出し、この検出温度に基づいて制御盤２０により切り換え制御されており、温度検出器１９による検出温度が設定温度以上（例えば、９０℃以上）になった場合、高温水１０がバイパス配管１７側へ流れるように制御盤２０により切り換え制御され、また、温度検出器１９による検出温度が設定温度未満（例えば、９０℃未満）になった場合、高温水１０が熱交換器８側へ流れるように制御盤２０により切り換え制御されている。
【００３６】
前記燃焼式バーナ１１は、バーナ用加熱槽３Ｂ内の熱媒液２を加熱するものであり、給湯負荷が増加して熱媒液２の温度が低下したときや仕切板７からオーバーフローした熱媒液２によりバーナ用加熱槽３Ｂ内の温度が低下したときに作動させて熱媒液２を補助的に加熱するものである。
【００３７】
即ち、燃焼式バーナ１１は、バーナ用加熱槽３Ｂ内の熱媒液２の温度を温度検出器２１により検出し、この検出温度に基づいて制御盤２０に制御されており、熱媒液２の温度が設定温度（例えば、９０℃）に達しない場合に、制御盤２０により作動されてバーナ用加熱槽３Ｂ内の熱媒液２を補助的に加温し、真空式温水機の設定を満足する温度及び流量を確保するようになっている。
【００３８】
尚、この実施形態においては、上述した真空式温水機は、ヒートポンプ給湯機９の高温水１０による加熱の場合、最高出湯温度を９０℃に設定し、熱媒液２の加熱を行う制御となっている。何故なら、従来の真空式温水機の燃焼式バーナによる制御は、熱媒液の温度が８６℃まで高燃焼制御し、熱媒液の温度が８６℃で低燃焼制御に切り換え、熱媒液の温度が９０℃で燃焼を停止し、熱媒液の温度が８３℃で再燃焼制御を行っているからである。前記最高出湯温度は、９０℃に限定されるものではなく、如何なる温度であっても良いことは勿論である。
【００３９】
而して、前記真空式温水機においては、高温水循環ポンプ１６により送られて来たヒートポンプ給湯機９の高温水１０が熱交換器８内を通過することにより缶体１内の熱媒液２が加熱されて蒸発し、発生した蒸気を減圧蒸気室４に充満させると共に、表面温度が蒸気の温度よりも低くなっている温水熱交換器５の表面で凝縮させることにより温水熱交換器５内を流通する水と熱交換を行わせ、温水熱交換器５の出口から蒸気の温度まで加熱された温水を回収し、また、蒸気は、温水熱交換器５の表面で凝縮して凝縮液２ａとなり、熱媒液槽３に落下して熱媒液２となる。
【００４０】
蒸気を凝縮させる温水熱交換器５では、低温側熱交換器５Ａの方が高温側熱交換器５Ｂよりも凝縮液２ａが多くなっており、低温側熱交換器５Ａから流下した凝縮液２ａは、斜板７により受け止められて斜板７上を流下し、下降通路１３を通って高温水用加熱槽３Ａの下部に流入し、熱交換器８内を流通するヒートポンプ給湯機９の高温水１０により再度加熱されて蒸発する。また、高温側熱交換器５Ａから流下した凝縮液２ａは、バーナ用加熱槽３Ｂに落下する。
【００４１】
従って、温水熱交換器５から流下した凝縮液２ａは、その多くが斜板７により高温水用加熱槽３Ａに強制的に蓄えられる。また、高温水用加熱槽３Ａ内の熱媒液２が貯水容量を超えると、仕切板６からオーバーフローし、バーナ用加熱槽３Ｂ内に流入する。
【００４２】
そして、この真空式温水機では、熱媒液２の加熱は、主にヒートポンプ給湯機９の高温水１０により行っており、給湯負荷の増加等により熱媒液２の温度が低下したときには、補助的に燃焼式バーナ１１を作動させて熱媒液２を加熱し、熱媒液２が設定温度（例えば、９０℃）に保たれるように制御されている。
【００４３】
即ち、ヒートポンプ給湯機９の高温水１０による加熱の場合、高温水用加熱槽３Ａ内の熱媒液２の温度が９０℃に保たれるように高温水１０により熱媒液２の加熱を行っており、熱媒液２の温度が９０℃以上になった場合は、温度検出器１９からの検出温度に基づいて制御盤２０により三方弁１８を切り換え制御し、ヒートポンプ給湯機９の高温水１０が熱交換器８からバイパス配管１７へ流れるようにし、熱媒液２の加温を停止する。
【００４４】
また、高温水用加熱槽３Ａ内の熱媒液２の温度が９０℃未満に低下した場合は、温度検出器１９からの検出温度に基づいて制御盤２０により三方弁１８を切り換え制御し、ヒートポンプ給湯機９の高温水１０がバイパス配管１７から熱交換器８へ流れるようにし、熱媒液２を加温する。
【００４５】
更に、給湯負荷の増加やバーナ用加熱槽３Ｂ内にオーバーフローした熱媒液２によりバーナ用加熱槽３Ｂ内の温度が設定温度に達しない場合は、温度検出器２１からの検出温度に基づいて制御盤２０により補助的に燃焼式バーナ１１を作動させ、熱媒液２の加熱を行い、真空式温水機の設定を満足する温度及び流量を確保する。
【００４６】
このように、前記真空式温水機は、主に熱媒液２の加熱をヒートポンプ給湯機９の高温水１０により行い、熱媒液２の温度低下時に燃焼式バーナ１１を補助的に使用しているため、従来の燃焼式バーナ１１を使用した真空式温水機に比較して缶体効率の向上、年間エネルギー消費量とランニングコストの低減及びＣＯ２の削減を図ることができ、また、燃焼式バーナ１１の種類を減少させて燃焼式バーナ１１を限定することができ、更に、煙道からの白煙が生じたり、低ｐＨの排ガスドレンを中和処理する処理装置を必要としたり、或いは、煙道が腐食したりすると云うこともない。
【００４７】
図４は本発明の他の実施形態に係る真空式温水機を示し、当該真空式温水機は、熱媒液２加熱用の主熱源をヒートポンプ給湯機９の高温水１０とし、缶体１の外部に熱交換器８を配設すると共に、熱交換器８と高温水用加熱槽３Ａとの間に高温水用加熱槽３Ａ内の熱媒液２が循環する熱媒液循環路２２を設け、熱交換器８により加熱された熱媒液循環路２２内の熱媒液２を高温水用加熱槽３Ａに戻し、高温水用加熱槽３Ａ内の熱媒液２を間接加熱する構成としたものであり、その他の構成は図１〜図３に示す真空式温水機と同様構造に構成されているため、図１〜図３に示す真空式温水機と同じ部位・部材には同一の参照番号を付し、その詳細な説明を省略する。
【００４８】
前記熱媒液循環路２２は、図４に示す如く、熱交換器８を収容するケーシング２２ａと、缶体１に形成され、高温水用加熱槽３Ａ内に連通する熱媒液入口２２ｂ及び熱媒液出口２２ｃと、ケーシング２２ａと熱媒液入口２２ｂ及び熱媒液出口２２ｃとをそれぞれ連結する循環用配管２２ｄと、熱媒液入口２２ｂ側の循環用配管２２ｄに設けた熱媒液循環ポンプ２２ｅとから成り、熱媒液循環ポンプ２２ｅにより高温水用加熱槽３Ａ内の熱媒液２を循環させ、その途中において熱媒液２をケーシング２２ａ内の熱交換器８により加温し、高温水用加熱槽３Ａ内に戻すようにしたものである。
【００４９】
図４に示す真空式温水機も、図１〜図３に示す真空式温水機と同様の作用効果を奏することができる。
【００５０】
図５は本発明の更に他の実施形態に係る真空式温水機を示し、当該真空式温水機は、加熱手段が熱交換器８と太陽熱温水器２３の高温水１０から成り、太陽熱温水器２３により得られた高温水１０を熱媒液２を加熱するための主熱源とし、燃焼式バーナ１１を補助的に使用するようにしたものである。
【００５１】
図５に示す真空式温水機は、ヒートポンプ給湯機９に換えて太陽熱温水器２３を使用したものであり、その他の構成は図１〜図３に示す真空式温水機と同様構造に構成されているため、図１〜図３に示す真空式温水機と同じ部位・部材には同一の参照番号を付し、その詳細な説明を省略する。
【００５２】
図５に示す真空式温水機も、図１〜図３に示す真空式温水機と同様の作用効果を奏することができる。
【００５３】
図６は本発明の更に他の実施形態に係る真空式温水機を示し、当該真空式温水機は、加熱手段が熱交換器８と高温の温泉水１０′から成り、温泉水１０′を熱媒液２を加熱するための主熱源とすると共に、燃焼式バーナ１１を補助的に使用し、高温水用加熱槽３Ａ内の熱媒液２を間接加熱するようにしたものである。
【００５４】
図６に示す真空式温水機は、ヒートポンプ給湯機９の高温水１０に換えて高温の温泉水１０′を使用したものであり、その他の構成は図４に示す真空式温水機と同様構造に構成されているため、図４に示す真空式温水機と同じ部位・部材には同一の参照番号を付し、その詳細な説明を省略する。
【００５５】
図６に示す真空式温水機も、図４に示す真空式温水と同様の作用効果を奏することができる。しかも、この真空式温水機は、高温の温泉水１０′を熱媒液２と熱交換させて温度を低下させているため、高温の温泉水１０′を冷却水により希釈せずに１００％温泉水を直接利用することができる。
【００５６】
尚、上記の各実施形態においては、熱媒液２の主熱源としてヒートポンプ給湯機９の高温水１０、太陽熱温水器２３の高温水１０、高温の温泉水１０′をそれぞれ使用するようにしたが、他の実施形態においては、図示していないが、熱媒液２の主熱源としてコージェネレーションシステムのエンジンを冷却して高温となったエンジン冷却水を使用するようにしても良く、或いは、その他の高温水（例えば、各種機器の高温排水）を使用するようにしても良い。
【００５７】
また、図５に示す実施形態においては、熱交換器８を高温水用加熱槽３Ａ内に配設し、熱媒液２を直接加熱するようにしたが、他の実施形態においては、熱交換器８を缶体１の外部に配設し、熱交換器８と高温水用加熱槽３Ａとの間に高温水用加熱槽３Ａ内の熱媒液２が循環する熱媒液循環路２２を設け、熱交換器８により加熱された熱媒液循環路２２内の熱媒液２を高温水用加熱槽３Ａ内に戻し、高温水用加熱槽３Ａ内の熱媒液２を間接加熱するようにしても良い。
【００５８】
更に、図６に示す実施形態においては、熱交換器８を缶体１の外部に配設し、熱媒液２を間接加熱するようにしたが、他の実施形態においては、熱交換器８を高温水用加熱槽３Ａ内に配設し、熱媒液２を直接加熱するようにしても良い。
【符号の説明】
【００５９】
１は缶体、２は熱媒液、２ａは凝縮液、３は熱媒液槽、３Ａは高温水用加熱槽、３Ｂはバーナ用加熱槽、４は減圧蒸気室、５は温水熱交換器、５Ａは低温側熱交換器、５Ｂは高温側熱交換器、５ａは入口、５ｂは出口、６は仕切板、７は斜板、８は熱交換器、８Ａは入口ヘッダー、８Ｂは出口ヘッダー、８Ｃは伝熱管、９はヒートポンプ給湯機、１０は高温水、１０′は温泉水、１１は燃焼式バーナ、１２は側板、１３は下降通路、１４は入口側配管、１５は出口側配管、１６は高温水循環ポンプ、１７はバイパス配管、１８は三方弁、１９は温度検出器、２０は制御盤、２１は温度検出器、２２は熱媒液循環路、２２ａはケーシング、２２ｂは熱媒液入口、２２ｃは熱媒液出口、２２ｄは循環用配管、２２ｅは熱媒液循環ポンプ、２３は太陽熱温水器。
【図１】
2015206484.tif 000003
【図２】
2015206484.tif 000004
【図３】
2015206484.tif 000005
【図４】
2015206484.tif 000006
【図５】
2015206484.tif 000007
【図６】
2015206484.tif 000008
【図７】
2015206484.tif 000009